(57)【要約】【目的】ユーザがフラットディスプレイにその設置姿勢を認識させるためのメニュー画面操作を不要にすることができるフラットディスプレイを提供する。【構成】プラズマディスプレイ１を横置き設置する場合には横置き支持台を用い、縦置き設置する場合には縦置き支持台を用いる。プラズマディスプレイ１の背面には、横置き支持台用の取付ねじ穴１１…（このねじ穴の一つにスイッチ６が設けられている）及び縦置き支持台用の取付ねじ穴１２…（このねじ穴の一つにスイッチ７が設けられている）が形成されている。ねじ穴に取付ビスが装着された場合には、スイッチ６（又はスイッチ７）がＯＮし、この信号がＣＰＵ１３の入力ポートに与えられ、これによってＣＰＵ１３は設置姿勢を判断する。【選択図】    図３
2004191713.tif 000002
【特許請求の範囲】
【請求項１】
縦置き支持台用の取付部及び横置き支持台用の取付部を有したフラットディスプレイにおいて、前記取付部に支持台の装着を検出する検出手段が設けられたことを特徴とするフラットディスプレイ。
【請求項２】
請求項１に記載のフラットディスプレイにおいて、前記検出手段は取付ねじに押圧されてスイッチング動作を行なうように構成されたことを特徴とするフラットディスプレイ。
【請求項３】
請求項１に記載のフラットディスプレイにおいて、前記検出手段はフォトディテクタから成り、前記支持台の装着によって光経路が変化してスイッチング動作が行なわれるように構成されたことを特徴とするフラットディスプレイ。
【請求項４】
縦用壁掛け金具の装着部及び横用壁掛け金具の装着部を有したフラットディスプレイにおいて、前記装着部に壁掛け金具の装着を検出する検出手段が設けられたことを特徴とするフラットディスプレイ。
【請求項５】
請求項４に記載のフラットディスプレイにおいて、前記検出手段は壁掛け金具のフックに押圧されてスイッチング動作を行なうように構成されたことを特徴とするフラットディスプレイ。
【請求項６】
請求項４に記載のフラットディスプレイにおいて、前記検出手段はフォトディテクタから成り、前記壁掛け金具の装着によって光経路が変化してスイッチング動作が行なわれるように構成されたことを特徴とするフラットディスプレイ。
【請求項７】
設置姿勢を検出する水銀スイッチが設けられたことを特徴とするフラットディスプレイ。
【請求項８】
請求項１乃至請求項７のいずれかに記載のフラットディスプレイにおいて、検出結果に基づいて入力映像を縦設置用映像又は横設置用映像に変換する映像処理手段を備えたことを特徴とするフラットディスプレイ。
【発明の詳細な説明】
【０００１】
【産業上の利用分野】
この発明は、プラズマディスプレイなどのフラットディスプレイに関する。
【０００２】
【従来の技術】
薄型の液晶ディスプレイやプラズマディスプレイを店舗内のショーウィンドウや壁などに設置し、これに店や商品の広告映像を表示することが考えられる。このような広告映像の表示においては、通常の横置き設置の他、縦置き設置も考えられ、設置姿勢に応じて入力映像信号のスケーリング処理を行ない、設置姿勢に合った映像を提示できるようにしている。従来は、設置姿勢をフラットディスプレイに認識させるために、ユーザがメニュー画面から設置姿勢を設定するためのメニューに遷移し、このメニュー画面上で所定の設定を行なう操作が必要であった。また、操作ユニットを着脱自在とし、横置き設置でも縦置き設置でも操作ユニットを画面の下方に設置する技術がある（特許文献１参照）。
【０００３】
【特許文献１】
特開２００１−９２３７５号公報
【０００４】
【発明が解決しようとする課題】
しかしながら、上記従来の技術では、設置姿勢を変更する度にユーザが一々メニュー画面を呼び出して設定をし直す必要があり、ユーザに負担をかけるものであった。また、前記操作ユニットが小型化され、筐体内に納まるようになると、前記従来技術では設置姿勢が認識できないことになる。
【０００５】
この発明のフラットディスプレイは、上記の事情に鑑み、ユーザがフラットディスプレイにその設置姿勢を認識させるためのメニュー画面操作を不要にすることができるフラットディスプレイを提供することを目的とする。
【０００６】
【課題を解決するための手段】
この発明のフラットディスプレイは、上記の課題を解決するために、縦置き支持台用の取付部及び横置き支持台用の取付部を有したフラットディスプレイにおいて、前記取付部に支持台の装着を検出する検出手段が設けられたことを特徴とする。
【０００７】
上記の構成であれば、フラットディスプレイの設置時に行なわれる支持台の取付作業を利用して設置姿勢の検出が行なえることになり、ユーザがフラットディスプレイにその設置姿勢を認識させるためのメニュー画面操作を不要にすることができる。
【０００８】
前記検出手段は取付ねじに押圧されてスイッチング動作を行なうように構成されていてもよい。また、前記検出手段はフォトディテクタから成り、前記支持台の装着によって光経路が変化してスイッチング動作が行なわれるように構成されていてもよい。
【０００９】
また、この発明のフラットディスプレイは、縦用壁掛け金具の装着部及び横用壁掛け金具の装着部を有したフラットディスプレイにおいて、前記装着部に壁掛け金具の装着を検出する検出手段が設けられたことを特徴とする。
【００１０】
上記の構成であれば、フラットディスプレイの設置時に行なわれる壁掛け金具への装着作業を利用して設置姿勢の検出が行なえることになり、ユーザがフラットディスプレイにその設置姿勢を認識させるためのメニュー画面操作を不要にすることができる。
【００１１】
前記検出手段は壁掛け金具のフックに押圧されてスイッチング動作を行なうように構成されていてもよい。また、前記検出手段はフォトディテクタから成り、前記壁掛け金具の装着によって光経路が変化してスイッチング動作が行なわれるように構成されていてもよい。
【００１２】
また、この発明のフラットディスプレイは、設置姿勢を検出する水銀スイッチが設けられたことを特徴とする。かかる構成であれば、例えば、フラットディスプレイが回転可能に支持される場合においても、その姿勢を判断できる。
【００１３】
これらの構成のフラットディスプレイにおいて、検出結果に基づいて入力映像を縦設置用映像又は横設置用映像に変換する映像処理手段を備えるのがよい。
【００１４】
【発明の実施の形態】
以下、この発明の実施形態を図１乃至図７に基づいて説明する。
【００１５】
図１にはプラズマディスプレイ１及び支持台２，３が示されている。プラズマディスプレイ１を横置き設置するのであれば横置き支持台２を用い、縦置き設置するのであれば縦置き支持台３を用いることになる。プラズマディスプレイ１の背面には、横置き支持台２用の取付ねじ穴１１…及び縦置き支持台３用の取付ねじ穴１２…（図２参照）が形成されている。そして、各支持台２，３にはビス挿通穴２１…，３１…（図２参照）が形成されており、これらビス挿通穴２１…（又は３１…）に取付ビス５…を通して横置き支持台２用の取付ねじ穴１１…（又は縦置き支持台３用の取付ねじ穴１２…）に螺合させることで、プラズマディスプレイ１は支持台２（又は支持台３）によって支持されることになる。
【００１６】
図２に示しているように、取付ねじ穴１１…のいずれか一つにはスイッチ６が設けられており、取付ねじ穴１２…のいずれか一つにはスイッチ７が設けられている。スイッチ６及びスイッチ７は、一対の接触端子部と接触片とによって構成されている。一方の接触端子部には例えば５Ｖ電圧が印加されており、他方の接触端子部はＣＰＵ１３（図３参照）の設置判定入力ポートに接続されている。接触片は、接触端子部から離間して設けられているが、取付ビス５…が装着された場合には、これに押圧されて両接触端子部に接触して導通状態となり、ＣＰＵ１３の入力ポートに５Ｖ電圧が印加される。
【００１７】
図３はプラズマディスプレイ１の全体構成を示したブロック図である。映像入力端子１４から入力された映像信号は、映像信号処理回路１５によって各種の処理が施されてプラズマディスプレイパネル（ＰＤＰ）１６に与えられる。ＣＰＵ１３は、スイッチ６，７のＯＮ／ＯＦＦによる２bit 情報に基づいてプラズマディスプレイ１の姿勢（縦置き設置又は横置き設置）を判断すると共に、映像信号処理回路１５から入力映像の縦横比情報を取得し、この縦横比情報と前記判断結果に基づいて映像信号処理回路１５にスケーリング指令等を与える。
【００１８】
図４は、ＣＰＵ１３及び映像信号処理回路１５による処理内容を示したフローチャートである。ＣＰＵ１３はスイッチ６，７のＯＮ／ＯＦＦ状態を検出するとともに（ステップＳ１）、映像信号処理回路１５から入力映像縦横比情報を取得し（ステップＳ２）、これらの情報に基づいてスケーリングの必要性を判断する（ステップＳ３）。スケーリングが必要であると判断したときには、前記縦横比情報及びプラズマディスプレイ１の姿勢を考慮してスケーリング比率を求め、このスケーリング比率情報を映像信号処理回路１５に与え、スケーリング処理を実行させる（ステップＳ４）。
【００１９】
そして、プラズマディスプレイ１が縦置き設置であるときには（ステップＳ５でＹＥＳ）、ＣＰＵ１３は更に映像信号処理回路１５に対して映像信号出力順番変更指令を与える（ステップＳ６）。これにより、映像信号処理回路１５からはプラズマディスプレイ１の姿勢（縦置き設置又は横置き設置）及び入力映像の縦横比に適合させた映像信号が出力されることになる（ステップＳ７）。
【００２０】
上記の構成であれば、プラズマディスプレイ１の設置時に行なわれる支持台の取付作業を利用して設置姿勢の検出が行なえることになり、ユーザがフラットディスプレイにその設置姿勢を認識させるためのメニュー画面操作を不要にすることができる。
【００２１】
なお、上述したスイッチ６，７を用いる構造に限るものではなく、図５に示すように、発光ダイオード２１とフォトトランジスタ２２とから成るフォトディテクタを横置き支持台２の装着で塞がれる箇所及び縦置き支持台３の装着で塞がれる箇所にそれぞれ配置しておき、横置き支持台２又は縦置き支持台３の装着によって光経路が変化してスイッチング動作が行なわれる構成を採用してもよい。図５に示す構成では、支持台２（３）の非装着状態では発光ダイオード２１が発する光はフォトトランジスタ２２には至らず、支持台２（３）の装着状態では発光ダイオード２１が発する光は支持台２（３）に反射してフォトトランジスタ２２に至ることになる。ＣＰＵ１３は電源ＯＮ時に前記発光ダイオード２１を発光させ、フォトトランジスタ２２の出力を確認した後はフォトトランジスタ２２の発光を停止させる制御を行なえばよい。
【００２２】
また、プラズマディスプレイ１を壁掛けタイプとする場合には、例えば、図６に示すように、その取付金具２３を壁に固定した後にそのフック部２３ａをプラズマディスプレイ１の取付穴１ａに係合させることになる。取付穴１ａは縦置き設置用と横置き設置用にそれぞれ用意されており、それぞれの取付穴１ａにスイッチ６，７を設けておく。スイッチ６，７の接触片は接触端子部から離間して設けられているが、プラズマディスプレイ１を取付金具２３に装着した場合には、前記フック部２３ａに押圧されていずれかのスイッチ６（７）においてその接触片が両接触端子部に接触する。
【００２３】
また、プラズマディスプレイ１を壁掛けタイプとする場合においても、フォトディテクタを用いた設置姿勢検出を行なうことができる。例えば、図７に示すように、縦置き設置用と横置き設置用のそれぞれの取付穴１ａに発光ダイオード２１とフォトトランジスタ２２とから成るフォトディテクタを配置しておき、フック部２３ａの装着によって光経路が変化してスイッチング動作が行なわれる構成を採用してもよい。
【００２４】
また、プラズマディスプレイ１に水銀スイッチ（図示せず）を設ける構成を採用してもよい。水銀スイッチは傾斜状態を検出できるスイッチであり、例えば、プラズマディスプレイ１の横置き設置で水銀スイッチが水平状態となるようにしておけば、水銀スイッチがＯＮで横置き設置、水銀スイッチがＯＦＦで非横置き設置（縦置き設置）であると判断できる。上記水銀スイッチを用いる構成であれば、例えば、プラズマディスプレイ１が回転可能に支持されて縦置き設置と横置き設置が行なえる構成においても、その設置姿勢を判断できることになる。
【００２５】
なお、プラズマディスプレイ１の姿勢を検出する手段としてジャイロを用いることが考えられるが、これではコスト高や構造の複雑化を招く。上記水銀スイッチ、スイッチ６（７）、フォトディテクタを用いる構成であれば、低コストを実現でき姿勢検出構造の簡単化が図れるという利点がある。また、フラットディスプレイとしてプラズマディスプレイを示したが、液晶パネルディスプレイなどにも適用できるものである。
【００２６】
【発明の効果】
以上説明したように、この発明によれば、ユーザがフラットディスプレイにその設置姿勢を認識させるためのメニュー画面操作を不要にすることができるという効果を奏する。
【図面の簡単な説明】
【図１】この発明の実施形態のプラズマディスプレイ、横置き支持台、縦置き支持台を示した説明図である。
【図２】この発明の実施形態のプラズマディスプレイにおけるスイッチ構造を示した断面図である。
【図３】この発明の実施形態のプラズマディスプレイを示したブロック図である。
【図４】この発明の実施形態のプラズマディスプレイにおける処理内容を示したフローチャートである。
【図５】この発明の実施形態のプラズマディスプレイにおけるスイッチ構造の他の例を示した断面図である。
【図６】この発明の実施形態のプラズマディスプレイにおけるスイッチ構造の他の例を示した断面図である。
【図７】この発明の実施形態のプラズマディスプレイにおけるスイッチ構造の他の例を示した断面図である。
【符号の説明】
１    プラズマディスプレイ
２    横置き支持台
３    縦置き支持台
５    取付ビス
６    スイッチ
７    スイッチ
１１  取付ねじ穴
１２  取付ねじ穴
２１  発光ダイオード
２２  フォトトランジスタ
【図１】
2004191713.tif 000003
【図２】
2004191713.tif 000004
【図３】
2004191713.tif 000005
【図４】
2004191713.tif 000006
【図５】
2004191713.tif 000007
【図６】
2004191713.tif 000008
【図７】
2004191713.tif 000009